【手続補正書】
【提出日】平成16年3月24日(2004.3.24)
【手続補正１】
【補正対象書類名】明細書
【補正対象項目名】特許請求の範囲
【補正方法】変更
【補正の内容】
【特許請求の範囲】
【請求項１】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１〜第ｎの連続したセクタ領域から成るランドトラック又はグルーブトラックを有するフォーマットが定義された光ディスクにおいて、
前記第１〜第ｎのセクタ領域のヘッダデータ領域に、前記ランドトラック又は前記グルーブトラック上における位置を示すデータを備えたことを特徴とする光ディスク。
【請求項２】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１〜第ｎの連続したセクタ領域から成るランドトラック又はグルーブトラックを有するフォーマットが定義された光ディスクにおいて、
前記第ｎのセクタ領域のヘッダデータ領域に、前記ランドトラック又は前記グルーブトラック上における最終セクタであることを示すデータを備えたことを特徴とする光ディスク。
【請求項３】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１〜第ｎの連続したセクタ領域から成るランドトラック又はグルーブトラックを有するフォーマットが定義された光ディスクにおいて、
前記第１のセクタ領域のヘッダデータ領域に、前記ランドトラック又は前記グルーブトラック上における先頭セクタであることを示すデータを備えたことを特徴とする光ディスク。
【請求項４】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１、…、第（ｎ−１）、第ｎの連続したセクタ領域から成るランドトラック又はグルーブトラックを有するフォーマットが定義された光ディスクにおいて、
前記第１のセクタ領域のヘッダデータ領域に、前記ランドトラック又は前記グルーブトラック上における先頭セクタであることを示すデータと、
前記第（ｎ−１）のセクタ領域のヘッダデータ領域に、前記ランドトラック又は前記グルーブトラック上における最終セクタの一つ手前のセクタであることを示すデータと、
前記第ｎのセクタ領域のヘッダデータ領域に、前記ランドトラック又は前記グルーブトラック上における最終セクタであることを示すデータと、
を備えたことを特徴とする光ディスク。
【請求項５】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１、…、第（ｎ−１）、第ｎの連続したセクタ領域から成る第１のランドトラック又は第１のグルーブトラック、及びこの第１のランドトラック又は第１のグルーブトラックと連続する第１、…、第（ｍ−１）、第ｍの連続したセクタ領域から成る第２のグルーブトラック又は第２のランドトラックを有するフォーマットが定義された光ディスクにおいて、
前記第１及び第２のランドトラック又はグルーブトラック上における第１のセクタ領域のヘッダデータ領域に、このランドトラック又はこのグルーブトラック上における先頭セクタであることを示すデータと、
前記第１及び第２のランドトラック又はグルーブトラック上における第（ｎ−１）及び第（ｍ−１）のセクタ領域のヘッダデータ領域に、このランドトラック又はこのグルーブトラック上における最終セクタの一つ手前のセクタであることを示すデータと、
前記第１及び第２のランドトラック又はグルーブトラック上における第ｎ及び第ｍのセクタ領域のヘッダデータ領域に、このランドトラック又はこのグルーブトラック上における最終セクタであることを示すデータと、
を備えたことを特徴とする光ディスク。
【請求項６】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１〜第ｎの連続したセクタ領域から成るランドトラック又はグルーブトラックを有するフォーマットが定義された光ディスクに対してデータの記録、又は記録されたデータの再生を行う光ディスク記録再生装置において、
前記光ディスクに記録されたデータを再生する再生手段と、
この再生手段により再生されたデータであって、前記第ｎのセクタ領域のヘッダデータに含まれる前記ランドトラック又は前記グルーブトラック上における最終セクタであることを示すデータから、前記ランドトラックと前記グルーブトラックとの変わり目を検出する検出手段と、
この検出手段による検出結果に基づき、前記ランドトラックに応じたランドトラッキングと前記グルーブトラックに応じたグルーブトラッキングとを切り換え制御するトラッキング制御手段と、
を備えたことを特徴とする光ディスク記録再生装置。
【請求項７】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１、…、第（ｎ−１）、第ｎの連続したセクタ領域から成るランドトラック又はグルーブトラックを有するフォーマットが定義された光ディスクに対してデータの記録、又は記録されたデータの再生を行う光ディスク記録再生装置において、
前記光ディスクに記録されたデータを再生する再生手段と、
この再生手段により再生されたデータであって、前記第１のセクタ領域のヘッダデータに含まれる前記ランドトラック又は前記グルーブトラック上における先頭セクタであることを示すデータ、前記第（ｎ−１）のセクタ領域のヘッダデータに含まれる前記ランドトラック又は前記グルーブトラック上における最終セクタの一つ手前のセクタであることを示すデータ、又は前記第ｎのセクタ領域のヘッダデータに含まれる前記ランドトラック又は前記グルーブトラック上における最終セクタであることを示すデータから、前記ランドトラックと前記グルーブトラックとの変わり目を検出する検出手段と、
この検出手段による検出結果に基づき、前記ランドトラックに応じたランドトラッキングと前記グルーブトラックに応じたグルーブトラッキングとを所定のタイミングで切り換え制御するトラッキング制御手段と、
を備えたことを特徴とする光ディスク記録再生装置。
【請求項８】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１〜第ｎの連続したセクタ領域から成るランドトラック又はグルーブトラックを有するフォーマットが定義された光ディスクに対してデータの記録、又は記録されたデータの再生を行うとき、
前記光ディスクに記録されたデータを再生し、
この再生により得られたデータであって、前記第ｎのセクタ領域のヘッダデータに含まれる前記ランドトラック又は前記グルーブトラック上における最終セクタであることを示すデータから、前記ランドトラックと前記グルーブトラックとの変わり目を検出し、
この検出による検出結果に基づき、前記ランドトラックに応じたランドトラッキングと前記グルーブトラックに応じたグルーブトラッキングとを切り換え制御する、
ことを特徴とする光ディスク記録再生方法。
【請求項９】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１、…、第（ｎ−１）、第ｎの連続したセクタ領域から成るランドトラック又はグルーブトラックを有するフォーマットが定義された光ディスクに対してデータの記録、又は記録されたデータの再生を行うとき、
前記光ディスクに記録されたデータを再生し、
この再生により得られたデータであって、前記第１のセクタ領域のヘッダデータに含まれる前記ランドトラック又は前記グルーブトラック上における先頭セクタであることを示すデータ、前記第（ｎ−１）のセクタ領域のヘッダデータに含まれる前記ランドトラック又は前記グルーブトラック上における最終セクタの一つ手前のセクタであることを示すデータ、又は前記第ｎのセクタ領域のヘッダデータに含まれる前記ランドトラック又は前記グルーブトラック上における最終セクタであることを示すデータから、前記ランドトラックと前記グルーブトラックとの変わり目を検出し、
この検出による検出結果に基づき、前記ランドトラックに応じたランドトラッキングと前記グルーブトラックに応じたグルーブトラッキングとを所定のタイミングで切り換え制御する、
ことを特徴とする光ディスク記録再生方法。
【請求項１０】
ランド部及びグルーブ部により形成されるスパイラル状のランドトラック及びグルーブトラックを有し、所定のトラック長から成り、かつヘッダデータが記録されるヘッダデータ領域とユーザデータが記録されるユーザデータ領域とを含む複数の連続したセクタ領域を有し、第１〜第ｎの連続したセクタ領域から成るランドトラック又はグルーブトラックを有するフォーマットが定義された光ディスクに対して記録されたデータの再生を行うとき、
前記光ディスクに記録されたデータを再生し、
この再生により得られたデータであって、前記第ｎのセクタ領域のヘッダデータに含まれる前記ランドトラック又は前記グルーブトラック上における最終セクタであることを示すデータから、前記ランドトラックと前記グルーブトラックとの変わり目を検出し、
この検出による検出結果に基づき、前記ランドトラックに応じたランドトラッキングと前記グルーブトラックに応じたグルーブトラッキングとを切り換え制御する、
ことを特徴とする光ディスク再生方法。